(57)【特許請求の範囲】
【請求項１】
一対のスピーカ装置を着脱するスピーカ装置の着脱機構において、
一方のスピーカ装置は、底面に設けられる一対のガイド部と、上記一対のガイド部の間に位置する係止部とを有し、他方のスピーカ装置から外されているとき、上記一対のガイド部及び上記係止部が足となって一方のスピーカ装置が支持され、
他方のスピーカ装置は、底面に設けられ、上記一対のガイド部の内方に位置して係合される一対の係合部と、上記係止部に突き当てられる係止片とを有し、一方のスピーカ装置から外されているとき上記一対の係合部及び上記係止片が足となって他方のスピーカ装置が支持され、上記ガイド部と係止部及び／又は係合部と係止片には、挿入方向側にテーパが形成されているとともに、スピーカ装置の底面に向かって次第に断面積が小となるようにされているスピーカ装置の着脱機構。
【請求項２】
上記一方のスピーカ装置には、ガイド部と上記係止部とで凹形状を構成するとともに、さらに他の一対のガイド部を備え、
上記他方のスピーカ装置には、上記他の一対のガイド部に係合される他の一対の係合部と、上記凹形状を構成する上記係止部に突き当てられる係止片とを備えることを特徴とする請求項１記載のスピーカ装置の着脱機構。
【発明の詳細な説明】
【０００１】
【発明の属する技術分野】
本発明は、一対のスピーカ装置の着脱を可能とするスピーカ装置の着脱機構に関する。
【０００２】
【従来の技術】
例えばテープカセットやディスクカートリッジ等の記録媒体に対して記録再生を行う記録及び／又は再生装置としては、携帯性に優れた小型の記録及び／又は再生装置がある。この小型の記録及び／又は再生装置は、通常、イヤホン等を介して音響信号が出力される。また、この記録及び／又は再生装置は、イヤホン等の代わりにスピーカ装置を用いて音響信号を出力する場合もある。このスピーカ装置は、Ｌｃｈの音響を出力するイヤホン、Ｒｃｈの音響を出力するイヤホンとを有することに対応してＬｃｈの音響を出力する第１のスピーカ装置、Ｒｃｈの音響を出力する第２のスピーカ装置として使用されることが多い。そして、これらの一対のスピーカ装置は、上記の小型の記録及び／又は再生装置とともに、小型でかつ携帯性を有することが必要となる。
【０００３】
そこで、第１のスピーカ装置及び第２のスピーカ装置の底面には、図８及び図９に示すように、利用者の必要に応じて第１のスピーカ装置１００と第２のスピーカ装置１１０との着脱を行うスピーカ装置の着脱機構を備えている。
【０００４】
そこで、第１のスピーカ装置１００の着脱機構としては、図８（ａ）、図８（ｂ）及び図８（ｃ）に示すように、横方向Ａにおける内方に設けられた係止凹部１０１と縦方向Ｂにおける両側に配設されたガイド部１０２とを備える。なお、図８（ａ）は第１のスピーカ装置１００の底面図であり、図８（ｂ）は底面１００ａを背面側から見た図、すなわち横方向Ａにおける側面図であり、図８（ｃ）は底面１００ａを側面から見た図、すなわち縦方向Ｂにおける側面図を示している。
【０００５】
係止凹部１０１は、横方向Ａにおける中央に設けられ、縦方向Ｂにおいて凹部状に形成されている。すなわち、係止凹部１０１は、後述する係止凸部が係合されることにより、第１のスピーカ装置１００に第２のスピーカ装置１１０を取り付ける。
【０００６】
ガイド部１０２は、一対の第１のガイド部１０２ａと第２のガイド部１０２ｂとが縦方向Ｂにおける両側に形成されている。このガイド部１０２は、縦方向Ｂにおける両側に形成されることにより、第１のスピーカ装置１００と第２のスピーカ装置１１０とが着脱される際に位置決めされるように成されている。
【０００７】
第１のガイド部１０２ａは、一対の第１の凸部１０３と第２の凸部１０４とが一定の間隔を隔てて形成されている。第１の凸部１０３は、一方の側面が根元から外方に向かって広がるように形成されている。すなわち、この第１の凸部１０３は、上面から下面に向かって、断面積が次第に小となるようにテーパが形成されていることとなる。また第２の凸部１０４は、両側面が底面１００ａから垂直方向Ｃに形成されている。
【０００８】
また、第２のガイド部１０２ｂは、第１のガイド部１０２ａと同様に、一対の第１の凸部１０３と第２の凸部１０４とが対向して構成されている。この第１の凸部１０３は、上述した第１のガイド部１０２ａの場合と同様に、一方の側面が根元から外方に向かって広がるように形成されており、上面から下面に向かって断面積が次第に小となるようにテーパが形成されている。また、この第１の凸部１０３は、他方の側面が底面１００ａから垂直方向Ｃに形成されている。
【０００９】
一方、第２のスピーカ装置１１０には、図９（ａ）、図９（ｂ）及び図９（ｃ）に示すように、係止凸部１１１と第２の係合部１１２とを備える。
【００１０】
係止凸部１１１は、横方向Ａにおける内方に配設され、縦方向Ｂにおいて凸状に形成されている。すなわち、係止凸部１１１は、上述の係止凹部１０１と係合されることにより、第１のスピーカ装置１００に第２のスピーカ装置１１０を取り付ける。
【００１１】
係合部１１２は、一対の第１の突起部１１２ａと第２の突起部１１２ｂとが横方向Ｂにおいて対向して配設されている。この第１の突起部１１２ａ及び第２の突起部１１２ｂは、一方の側面が根元から外方に向かって広がるように形成されている。すなわち、この第１の凸部１１２ａは、上面から下面に向かって、断面積が次第に小となるようにテーパが形成されていることとなる。
【００１２】
このように構成されたスピーカ装置の着脱機構は、第１のスピーカ装置１００に第２のスピーカ装置１１０を取り付ける際、第２のスピーカ装置１１０を第１のスピーカ装置１００に対して縦方向Ｂにスライドさせながら、係止凹部１０１に係止凸部１１１を嵌合させる。
【００１３】
このとき、第２の突起部１１２ｂは第１のガイド部１０２ａの第１の凸部１０３と第２の凸部１０４間にスライドされ、第１の突起部１１２ａは第２のガイド部１０２ｂの第１の凸部１０３と第２の凸部１０４間にスライドされることにより、第１のスピーカ装置１００に第２のスピーカ装置１１０を取り付けることとなる。
【００１４】
【発明が解決しようとする課題】
上述の第１のスピーカ装置１００及び第２のスピーカ装置１１０においては、第１のガイド部１０２ａ及び第２のガイド部１０２ｂが縦方向Ｂと平行となっているため、第１の突起部１１２ａ又は第２の突起部１１２ｂを第１の凸部１０３と第２の凸部１０４との間にスライドさせて係止凹部１０１と係止凸部１１１とを嵌合していたので、利用者が第１のスピーカ装置１００と第２のスピーカ装置１１０とを着脱することが困難であるという問題がある。
【００１５】
すなわち、上述のような着脱機構では、係止凹部１０１と係止凸部１１１、第２のガイド部１０２ｂと第１の突起部１１２ａ、第１のガイド部１０２ａと第２の突起部１１２ｂの３つの点を合わせて着脱しなければならない機構となっている。
【００１６】
また、第１スピーカ装置１００と第２のスピーカ装置１１０とは、このような着脱機構により取り付けられても、上述のような着脱機構では取り外しにくいという問題があった。
【００１７】
また、上述のようなガイド部１０２は、第１の凸部１０３と第２の凸部１０４とを縦方向Ｂと平行として形成する必要があり、第１の凸部１０３及び第２の凸部１０４の大きさに限界があり、複数回使用した場合にあっては第１の凸部１０３または第２の凸部１０４が破損してしまう虞がある。
【００１８】
そこで本発明は、上述したような実情に鑑みて提案されたものであり、簡易に第１のスピーカ装置と第２のスピーカ装置とを着脱することが可能なスピーカ装置の着脱機構を提供することを目的とする。
【００１９】
【課題を解決するための手段】
本発明に係るスピーカ装置の着脱機構は、一対のスピーカ装置を着脱するスピーカ装置の着脱機構であって、一方のスピーカ装置は、底面に設けられる一対のガイド部と、上記一対のガイド部の間に位置する係止部とを有し、他方のスピーカ装置から外されているとき、上記一対のガイド部及び上記係止部が足となって一方のスピーカ装置が支持され、他方のスピーカ装置は、底面に設けられ、上記一対のガイド部の内方に位置して係合される一対の係合部と、上記係止部に突き当てられる係止片とを有し、一方のスピーカ装置から外されているとき上記一対の係合部及び上記係止片が足となって他方のスピーカ装置が支持され、上記ガイド部と係止部及び／又は係合部と係止片には、挿入方向側にテーパが形成されているとともに、スピーカ装置の底面に向かって次第に断面積が小となるようにされている。
【００２０】
すなわち、本発明に係るスピーカ装置の着脱機構は、一対のガイド部と係合部とが係合され、係止部と係止片とが係止されることにより、一方のスピーカ装置と他方のスピーカ装置とを着脱することができる。したがって、このスピーカ装置の着脱機構によれば、係止部と係止片との位置を合わせて一方のスピーカ装置と他方のスピーカ装置とを縦方向において位置決めし、ガイド部の内方に係合片を係合させることにより、一方のスピーカ装置と他方のスピーカ装置とを横方向において位置決めすることができる。
【００２１】
【発明の実施の形態】
以下、本発明に係るスピーカ装置の着脱機構について図面を参照しながら説明する。
【００２２】
この着脱機構が備えられる一対のスピーカ装置は、テープカセットやディスクカートリッジを記録媒体として用いる携帯性に優れた小型の記録及び／又は再生装置の外部出力端子にイヤホンの代わりとして接続されて用いられるものである。
【００２３】
本発明に係るスピーカ装置の着脱機構は、例えば図１に示すように、例えば記録媒体を再生することにより音響信号を出力する電子機器に接続され例えばＬｃｈの音響を出力する第１のスピーカ装置１と例えばＲｃｈの音響を出力する第２のスピーカ装置１０とに備えられる。そして、このスピーカ装置の着脱機構は、利用者の必要に応じて、これら一組のスピーカ装置を着脱させることができる。
【００２４】
これら第１のスピーカ装置１及び第２のスピーカ装置１０は、図１および図２に示すように、内部に磁気回路やアンプ等を収納した筐体２，１１と、音響が出力される放音面となるケージ部３，１２と、電子機器からの音響信号を第１のスピーカ装置１に入力する入力コード４と、第１のスピーカ装置１に入力された電気信号のうちＲｃｈ成分のみを第２のスピーカ装置１０に入力させる接続コード５とを備える。
【００２５】
筐体２，１１には、その内部に電気音響変換器が内蔵されている。この電気音響変換器は、ケージ部の裏面に配設された振動板の下面側中央部に垂下して設けられ、磁気回路部の磁気ギャップ内に挿入配置したボイスコイルボビンに装着したボイスコイルに音響信号を供給することによって振動板を振動させるようにしたスピーカユニットに構成されている。この筐体２，１１は、第１のスピーカ装置１及び第２のスピーカ装置１０の正面に放音面となるケージ部３，１２が装着され、後面に複数の孔部６が形成されている。このように、第１のスピーカ装置１及び第２のスピーカ装置１０の後面に孔部６が形成されることにより、ケージ部３，１２から出力される音響の音質を良好とすることができる。
【００２６】
また、第１のスピーカ装置１の背面には、電子機器から音響信号を入力する入力コード４が接続され、第２のスピーカ装置１０にＲｃｈの音響信号のみを出力する接続コード５が接続されている。この入力コード４は、例えば先端に外部出力端子に接続され、音響信号を受信するプラグ４ａを備えている。
【００２７】
そして、第２のスピーカ装置１０は、第１のスピーカ装置１から送信される音響信号を入力するための接続コード５が接続されることとなる。
【００２８】
さらに、これら第１のスピーカ装置１には、入力された音響信号を出力するアンプを備える、いわゆるアンプ内蔵型スピーカ装置である場合において、電源スイッチ７と、電池が収納される電池収納部８とを備えている。
【００２９】
電源スイッチ７は、第１のスピーカ装置１に内蔵されているアンプのオン／オフを制御するものである。また、電池収納部８は、第１のスピーカ装置１に内蔵されるアンプを駆動させる電池が収納され、アンプに対して電源を供給するように成されている。
【００３０】
そして、この第１のスピーカ装置１と第２のスピーカ装置１０とは、例えば携帯用として使用される際に着脱機構により一体化されて持ち運びされる。
【００３１】
このような各スピーカ装置１，１０を着脱する着脱機構は、図３に示すように、第１のスピーカ装置１の底面１ａ及び第２のスピーカ装置１０の底面１０ａに備えられている。なお、この図３は、図３（ａ）として第１のスピーカ装置１の底面図を示し、図３（ｂ）として横方向Ａにおける側面図を示している。
【００３２】
第１のスピーカ装置１に備えられる着脱機構２０は、図３（ａ）に示すように、第１のスピーカ装置１の底面１ａに設けられる一対の第１のガイド部２０ａと、一対のガイド部２０ａの横方向Ｂの略中央に設けられる係止部２１からなる第２のガイド部２０ｂとを備える。第２のガイド部２０ｂと係止部２１とは、連続して設けられ凹状に形成されている。
【００３３】
一対の第１のガイド部２０ａは、第１のスピーカ装置１及び第２のスピーカ装置１０の挿入方向と平行に設けられている。この第１のガイド部２０ａは、第２のスピーカ装置１０が挿入された状態において、内方に第２のスピーカ装置１０に備えられている着脱機構が係合されるように、所定の間隔ｔ１を有して設けられている。
【００３４】
また、この着脱機構２０は、上記第１のガイド部２０ａよりも進入側に設けられた第２のガイド部２０ｂを備えている。この第２のガイド部２０ｂは、上記第１のガイド部２０ａよりも横方向Ａにおける間隔ｔ２が小となるように形成されている。
【００３５】
また、これら第１のガイド部２０ａ及び第２のガイド部２０ｂには、円滑に第１のスピーカ装置１の着脱機構２０と第２のスピーカ装置１０の着脱機構２５とが着脱されるように、縦方向Ｂにおける両側にテーパ２２が形成されている。すなわち、これら第１のガイド部２０ａ及び第２のガイド部２０ｂの縦方向Ｂにおける両側には、進入側から縦方向Ａにおいて次第に横方向Ａに広がるテーパ２２が形成されている。
【００３６】
なお、このようなスピーカ装置１，１０の着脱機構は、いずれかの一方のスピーカ装置１，１０の進入側にのみテーパ２２を形成しても良い。さらに、図３に示すように、第１の着脱機構２０及び第２の着脱機構２５においては、縦方向Ｂの両側にテーパ２２を形成する必要はなく、各スピーカ装置１，１０の進入側のみに形成しても良い。
【００３７】
さらに、この第１のガイド部２０ａ及び第２のガイド部２０ｂには、根元、すなわち、底面に向かって次第に断面積が小となるようなテーパ２３が形成されている。このように第１のガイド部２０ａ及び第２のガイド部２０ｂに根元に向かって次第に断面積が小となるようなテーパ２３が形成されることにより、縦方向Ａと垂直する垂直方向Ｃにおいて第１のスピーカ装置１と第２のスピーカ装置１０とが離間するようにぶれること、換言すれば外されることがなく一体化されることとなる。
【００３８】
なお、このテーパ２３は、第１のスピーカ装置１または第２のスピーカ装置１０のいずれかの着脱機構に形成されていれば、垂直方向Ｃにおいて第１のスピーカ装置１と第２のスピーカ装置１０とがぶれることがない。
【００３９】
係止部２１は、上記第２のガイド部２０ｂと一体に形成され、第２のガイド部２０ｂの横方向Ａにおける中央に形成されている。この係止部２１は、第１のスピーカ装置１に第２のスピーカ装置１０が取り付けられた状態において縦方向Ｂにおいて第１のスピーカ装置１と第２のスピーカ装置１０とがぶれるようなことがないようになされている。
【００４０】
一方、第２のスピーカ装置１０に備えられる着脱機構２５は、図４に示すように、第２のスピーカ装置１０の底面１０ａに設けられ第１のガイド部２０ａと係合される一対の第１の係合部２５ａと、係止部２１に突き当てられる係止片２６とを備える。
【００４１】
係合部２５ａは、第１のスピーカ装置１に第２のスピーカ装置１０を取り付けた状態において第１のガイド部２０ａの横方向Ａにおける内方に設けられる第１の係合部２５ａと、上記第２のガイド部２０ｂの内方に配される第２の係合部２５ｂとからなる。すなわち、この第１の係合部２５ａは、上述した第１のガイド部２０ａの横方向Ａにおける所定の間隔ｔ１（底面側間隔）と同等の間隔ｔ３で横方向Ａの両側に形成されている。一方、第２の係合部２５ｂは、上記の第２のガイド部２０ｂの横方向Ａにおける間隔ｔ２（底面側間隔）と同等の間隔ｔ４で形成されている。すなわち、この第２の係合部２５ｂは、第１のスピーカ装置１と第２のスピーカ装置１０とが突き合わされた際に、第２のガイド部２０ｂの内方に係合するように形成されている。
【００４２】
また、この第１の係合部２５ａ及び第２の係合部２５ｂは、第１のスピーカ装置１と第２のスピーカ装置１０とが円滑に着脱されるように、縦方向Ａにおける両側にテーパ２７が形成されている。また、この第１の係合部２５ａ及び第２の係合部２５ｂは、根元、すなわち底面に向かって次第に断面積が小となるようなテーパ２８が形成されている。
【００４３】
第２の係合部２５ｂを構成する係止片２６は、上述した第１のスピーカ装置１の底面１ａに設けられている係止部２１に突き当てられるように、横方向Ａにおいて第１の係合部２５ａの内方に形成されている。この係止片２６は、上述した第２のガイド部２０ｂと一体となるように形成されている。そしてこの係止片２６は、第１のスピーカ装置１０における進入側の側面が係止部２１に突き当てられるように成されている。
【００４４】
このように構成された第１のスピーカ装置１，１０の着脱機構は、図５に示すように、第１のスピーカ装置１の底面１ａに第２のスピーカ装置１０の底面１０ａが突き合わされて取り付けられる。すなわち、第１のガイド部２０ａの内方に第１の係合部２５ａが係合され、第２のガイド部２０ｂの内方に第２の係合部２５ｂが係合されることとなる。このように、第１のスピーカ装置１に第２のスピーカ装置１０が取り付けられた状態においては、各スピーカ装置１，１０が一体化された状態において縦方向Ｂにぶれてしまうようなことがない。
【００４５】
また、第１のスピーカ装置１及び第２のスピーカ装置１０の着脱機構は、第１のスピーカ装置１に第２のスピーカ装置１０が突き合わされて取り付けられた状態において係止部２１と係止片２６が突き合わされる。このように、係止部２１と係止片２６とを突き合わせることにより、縦方向Ａにおいて第１のスピーカ装置１と第２のスピーカ装置１０とが外力の影響によりはずれないように成されている。
【００４６】
また、着脱機構は、相互に形成されているテーパ２３とテーパ２８とが噛み合うように突き合わせることにより、第１のスピーカ装置１と第２のスピーカ装置１０とが互いに離間する方向においてぶれてしまうようなことがない。なお、テーパ２３，２８は、第１のスピーカ装置１または第２のスピーカ装置１０のいずれかの着脱機構に設けられていれば、第１のスピーカ装置１に第２のスピーカ装置１０が取り付けられた状態で垂直方向Ｃにぶれてしまうようなことがない。
【００４７】
また、この着脱機構は、各スピーカ装置１，１０の進入側にテーパ２２，２７が形成されているので、第１のスピーカ装置１に第２のスピーカ装置１０を取り付ける際に円滑に第１のスピーカ装置１に対して第２のスピーカ装置１０をスライドさせて取り付けることができる。
【００４８】
したがって、このようなスピーカ装置の着脱機構によれば、係止部２１と係止片２６との位置を合わせるように突き合わせれば、ガイド部２０ｂの内方に係合片２６が係合して第１のスピーカ装置１に第２のスピーカ装置１０を取り付けることができる。すなわち、係止部２１と係止片２６は着脱機構における装着の位置合わせの働きをする。したがって、このスピーカ装置の着脱機構は、従来の着脱機構のように、複数の部材の各位置を合わせて一組のスピーカ装置を取り付ける必要がない。したがって、このスピーカ装置の着脱機構は、簡易に各スピーカ装置１，１０の着脱を行うことができる。また、このスピーカ装置の着脱機構は、従来の着脱機構と比較して部材の点数を少なくすることができるので、各部材を大きくすることができ、機械的な強度を高くすることができる。
【００４９】
また、第１のスピーカ装置１及び第２のスピーカ装置１０の着脱機構は、スピーカ装置１及びスピーカ装置１０の支持部とすることができる。すなわち、この第１のスピーカ装置１に備えられている第１の着脱機構２０及び第２のスピーカ装置１０に備えられている第２の着脱機構２５は、図１に示すように各スピーカ装置１，１０から音響を出力する際に、各スピーカ装置１，１０の足となる。このように、スピーカ装置の着脱機構は、第１のスピーカ装置１の底面１ａ及び第２のスピーカ装置１０の底面１０ａに設けられているので、各スピーカ装置１，１０を３点で支持することができる。
【００５０】
また、他のスピーカ装置の着脱機構としては、図６（ａ）に示すように、第１のスピーカ装置１の底面１ａから略Ｌ字状に露呈して横方向Ａにおける中央に第１のガイド部２９ａと係止部３０とが形成され、横方向Ａに所定距離ｔ５だけ隔てた位置に第２のガイド部２９ｂが形成されたものであっても良い。
【００５１】
一方、第２のスピーカ装置１０に設けられる着脱機構は、図６（ｂ）に示すように、上記第１のガイド部２９ａ及び第２のガイド部２９ｂの横方向Ａにおける内方に位置されるような間隔ｔ６を有して一対の係合部３１ａ，３１ｂが形成されている。そして、一対の係合部３１ａ，３１ｂのうち、第１のスピーカ装置１の着脱機構の係止部３０と突き合わされる係止片３２とを備える。
【００５２】
このような第２のスピーカ装置１０は、図７に示すようにして第１のスピーカ装置１に取り付けられる。すなわち、これら第１のスピーカ装置１と第２のスピーカ装置１０とは、第１のガイド部２９ａと係合部３１ｂとが係合し、第２のガイド部２９ｂと係合部３１ａとが係合し、係止部３０と係止片３２とが突き合わされて第１のスピーカ装置１に第２のスピーカ装置１０を取り付ける。
【００５３】
なお、図６（ａ）及び図６（ｂ）に示した第１のスピーカ装置の着脱機構及び第２のスピーカ装置１０の着脱機構は、縦方向Ｂにおける長さを長くしても良い。すなわち、第１のスピーカ装置１においては第１のガイド部２９ａ、第２のガイド部２９ｂの縦方向Ｂにおける長さを長くし、第２のスピーカ装置１においては係合片３１ａ，３１ｂの縦方向Ａにおける長さを長くする。
【００５４】
このように、図６に示した第１のスピーカ装置１及び第２のスピーカ装置１０においては、第１のガイド部２９ａ、第２のガイド部２９ｂ、係合片３１ａ，３１ｂの縦方向Ｂにおける長さを長くすることにより支持部とすることができる。
【００５５】
【発明の効果】
以上詳細に説明したように、本発明に係るスピーカ装置の着脱機構は、一方のスピーカ装置の底面に設けられる一対のガイド部と、一対のガイド部の間に位置する係止部と、他方のスピーカ装置の底面に設けられガイド部の内方に位置して係合される一対の係合部と、係止部に突き当てられる係止片とを有するので、一方のスピーカ装置と他方のスピーカ装置とを着脱することができる。すなわち、このスピーカ装置の着脱機構によれば、係止部と係止片とを突き合わせて、一対のガイド部と係合部とが係合させることにより、一方のスピーカ装置に他方のスピーカ装置を取り付けることができる。したがって、このスピーカ装置の着脱機構によれば、係止部と係止片との位置を合わせて一方のスピーカ装置と他方のスピーカ装置とを縦方向において固定し、ガイド部の内方に係合部が係合させることにより、一方のスピーカ装置と他方のスピーカ装置とを横方向において固定することができる。そして、ガイド部と係止部及び係合部と係止片には底面に向かって次第に断面積が小となるようなテーパが形成されているので、一方のスピーカ装置に他方のスピーカ装置を取り付けたときこのテーパが噛み合い、突き合わせ面同士の離間が防止される。
【００５６】
また、このスピーカ装置の着脱機構は、係止部と係止片との位置を合わせて第１のスピーカ装置に第２のスピーカ装置を取り付けることができるとともに、ガイド部と係止部及び／又は係合部と係止片には、挿入方向側にテーパが形成されているので、一方のスピーカ装置に他方のスピーカ装置を取り付ける際に円滑にスライドさせて取り付けることができ、一方のスピーカ装置と他方のスピーカ装置との着脱を簡易とすることができる。さらに、スピーカ装置の着脱機構は、各スピーカ装置の底面に設けられているので、この着脱機構を３本の足としてスピーカ装置を支持することができる。
【図面の簡単な説明】
【図１】  本発明が適用可能な一組のスピーカ装置の一例を示す斜視図である。
【図２】  第１のスピーカ装置の一例を示す背面図である。
【図３】  （ａ）は第１のスピーカ装置の底面図であり、（ｂ）は第１のスピーカ装置の背面側から着脱機構を拡大して示す図である。
【図４】  （ａ）は第２のスピーカ装置の底面図であり、（ｂ）は第２のスピーカ装置の背面側から着脱機構を拡大して示す図である。
【図５】  第１のスピーカ装置に第２のスピーカ装置を取り付けた状態の一例を示す拡大背面図である。
【図６】  本発明を適用したスピーカ装置の着脱機構の他の一例を示す底面図である。
【図７】  第１のスピーカ装置に第２のスピーカ装置を取り付けた状態の他の一例を示す拡大背面図である。
【図８】  （ａ）は従来の第１のスピーカ装置に備えられている着脱機構の底面図であり、（ｂ）は従来の第１のスピーカ装置に備えられている着脱機構を背面から見た図であり、（ｃ）は従来の第１のスピーカ装置に備えられている着脱機構を側面から見た図である。
【図９】  （ａ）は従来の第２のスピーカ装置に備えられている着脱機構の底面図であり、（ｂ）は従来の第２のスピーカ装置に備えられている着脱機構を背面から見た図であり、（ｃ）は従来の第２のスピーカ装置に備えられている着脱機構を側面から見た図である。
【符号の説明】
１  第１のスピーカ装置、１０  第２のスピーカ装置、２０  係合部、２１  係止部、２２  テーパ部、２３  テーパ部、２５  ガイド部、２６  係止片、２７  テーパ部、２８  テーパ部、２９  ガイド部、３０  係止部、３１  係合部、３２  係止片
【図１】
0003899592.tif 000002
【図２】
0003899592.tif 000003
【図３】
0003899592.tif 000004
【図４】
0003899592.tif 000005
【図５】
0003899592.tif 000006
【図６】
0003899592.tif 000007
【図７】
0003899592.tif 000008
【図８】
0003899592.tif 000009
【図９】
0003899592.tif 000010